(57)【特許請求の範囲】
【請求項１】
把持部と、
前記把持部に着脱可能であり、ブラシ部が設けられたヘッド部と、
を含み、
前記ヘッド部は、前記把持部に装着された状態で、前記把持部の軸を中心として、前記把持部に対し第１角度から第２角度の範囲で回転可能であり、
前記ヘッド部は、
前記第１角度をなして前記把持部に装着された第１状態で、前記軸の方向において、前記把持部に固定され、
前記第２角度をなして前記把持部に装着された第２状態で、前記把持部から、前記軸の方向に取り外し可能であり、
前記把持部は、該把持部の一方の端部に形成された凸部を有し、
前記凸部は、くびれ部を備え、
前記ブラシ部とは反対側の前記ヘッド部の端部は、二股形状を有し、
前記二股形状を構成する足部は、
該足部の先端に、前記第１状態で前記くびれ部と係合する突起部を有する、歯ブラシ。
【請求項２】
請求項１において、
前記凸部は、前記軸の方向から見て、長手方向と短手方向とを有する形状であり、
前記凸部は、前記軸の方向から見て、
対角線上において互いに対向する２つの角部と、
対角線上において互いに対向する２つの面取り部と、を有する、歯ブラシ。
【請求項３】
請求項１または２において、
前記把持部には、前記凸部の先端から、前記軸の方向に突出延在された導電性の支軸部が形成され、
前記ヘッド部の前記端部には、前記支軸部が挿入される支軸挿入部が形成され、
前記把持部には、電池が収容される電池収容部が形成され、
前記支軸部は、前記電池の一方の電極に接続される、歯ブラシ。
【請求項４】
請求項３において、
前記ヘッド部には、液体を媒体として、前記ブラシ部と前記支軸部とを電気的に導通可能とする開口部が形成されている、歯ブラシ。
【請求項５】
請求項１ないし４のいずれか１項において、
前記ヘッド部が前記把持部に対し回転可能な前記範囲は、９０度である、歯ブラシ。
【請求項６】
請求項１ないし５のいずれか１項において、
前記把持部は、
前記第１状態で、前記ブラシ部が設けられた前記ヘッド部の面に連続する第１面と、
前記第１面に接続された第２面と、
を有し、
前記第１面は、前記軸の方向と直交する方向の幅が、前記第２面よりも大きい、歯ブラシ。
【発明の詳細な説明】
【技術分野】
【０００１】
本発明は、歯ブラシに関する。
【背景技術】
【０００２】
従来から、歯ブラシの把持部に対してヘッド部を着脱可能に構成し、ヘッド部に設けられたブラシが痛んだ際は、ヘッド部を新しいものと交換する、いわゆる分離型の歯ブラシが知られている。特に、歯ブラシの把持部に電池を内蔵し、この把持部を把持する手を介して微弱な電流を歯とブラシとの間に流し、歯垢を有効に除去するイオン歯ブラシでは、把持部に対してヘッド部を着脱可能にすることにより、使用者のランニングコストを低く抑えることができる。
【０００３】
分離型の歯ブラシは、通常、把持部の端部に係合部を設け、ヘッド部の端部（ブラシが設けられていない側の端部）に係合部と係合する被係合部を設け、係合部と被係合部との係合および係合解除により、把持部にヘッド部を着脱可能に装着する構造を備えている（特許文献１参照）。このような歯ブラシにおいて、係合解除は、把持部とヘッド部とに、把持部の軸方向に沿って互いに反対向きの力を加えることにより行われる。
【先行技術文献】
【特許文献】
【０００４】
【特許文献１】特開平９−１３１２２３号公報
【発明の概要】
【発明が解決しようとする課題】
【０００５】
しかしながら、上記のような分離型の歯ブラシでは、把持部からヘッド部を分離する際に、大きな力が必要となり、容易に分離することができない場合があった。
【０００６】
また、上記のような分離型の歯ブラシでは、歯磨剤を用いて歯磨きを行った際に、歯磨剤が把持部とヘッド部との間に侵入する場合がある。このような状態で長期間に亘り歯磨きを繰り返すと、把持部およびヘッド部の接合部分が磨耗し、歯磨き中にヘッド部が把持部から分離してしまうことがあった。その結果、歯ブラシの信頼性が低下することがあった。
【０００７】
本発明のいくつかの態様に係る目的の１つは、ヘッド部を把持部に容易に着脱することができ、高い信頼性を有する歯ブラシを提供することにある。
【課題を解決するための手段】
【０００８】
［適用例１］
本発明に係る歯ブラシの一態様は、
把持部と、
前記把持部に着脱可能であり、ブラシ部が設けられたヘッド部と、
を含み、
前記ヘッド部は、前記把持部に装着された状態で、前記把持部の軸を中心として、前記把持部に対し第１角度から第２角度の範囲で回転可能であり、
前記ヘッド部は、
前記第１角度をなして前記把持部に装着された第１状態で、前記軸の方向において、前記把持部に固定され、
前記第２角度をなして前記把持部に装着された第２状態で、前記把持部から、前記軸の方向に取り外し可能である。
【０００９】
［適用例２］
適用例１において、
前記把持部は、該把持部の一方の端部に形成された凸部を有し、
前記凸部は、くびれ部を備え、
前記ブラシ部とは反対側の前記ヘッド部の端部は、二股形状を有し、
前記二股形状を構成する足部は、
該足部の先端に、前記第１状態で前記くびれ部と係合する突起部を有していてもよい。
【００１０】
［適用例３］
適用例２において、
前記凸部は、前記軸の方向から見て、長手方向と短手方向とを有する形状であり、
前記凸部は、前記軸の方向から見て、
対角線上において互いに対向する２つの角部と、
対角線上において互いに対向する２つの面取り部と、を有していてもよい。
【００１１】
［適用例４］
適用例２または３において、
前記把持部には、前記凸部の先端から、前記軸の方向に突出延在された導電性の支軸部が形成され、
前記ヘッド部の前記端部には、前記支軸部が挿入される支軸挿入部が形成され、
前記把持部には、電池が収容される電池収容部が形成され、
前記支軸部は、前記電池の一方の電極に接続されていてもよい。
【００１２】
［適用例５］
適用例４において、
前記ヘッド部には、液体を媒体として、前記ブラシ部と前記支軸部とを電気的に導通可能とする開口部が形成されていてもよい。
【００１３】
［適用例６］
適用例１ないし５のいずれか１例において、
前記ヘッド部が前記把持部に対し回転可能な前記範囲は、９０度であってもよい。
【００１４】
［適用例７］
適用例１ないし６のいずれか１例において、
前記把持部は、
前記第１状態で、前記ブラシ部が設けられた前記ヘッド部の面に連続する第１面と、
前記第１面に接続された第２面と、
を有し、
前記第１面は、前記軸の方向と直交する方向の幅が、前記第２面よりも大きくてもよい。
【発明の効果】
【００１５】
本発明に係る歯ブラシによれば、ヘッド部は、第１角度をなして把持部に装着された第１状態で、把持部の軸の方向において、把持部に固定され、第２角度をなして把持部に装着された第２状態で、把持部から、把持部の軸の方向に取り外し可能である。すなわち、本発明に係る歯ブラシは、使用者が歯磨きを行う使用状態の第１状態から、ヘッド部を把持部に対して回転させて第２状態として、把持部からヘッド部を分離させることができる。そのため、例えば、使用状態のまま把持部の軸方向に力を加えてヘッド部を分離する形態に比べて、簡易にヘッド部を分離することができる。使用者は、例えば一般的に、ヘッド部に対して、把持部の軸方向より軸の回転方向に力を加えやすい。
【００１６】
さらに、本発明に係る歯ブラシによれば、ヘッド部を把持部から分離する場合には、使用状態である第１状態から第２状態にする必要があるため、仮に歯磨き剤が把持部およびヘッド部の間に進入して接合部分が磨耗したとしても、使用状態である第１状態において、直接ヘッド部が分離する可能性を小さくすることができる。
【００１７】
したがって、本発明に係る歯ブラシは、ヘッド部を把持部に容易に着脱することができ、高い信頼性を有することができる。
【図面の簡単な説明】
【００１８】
【図１】本実施形態に係る歯ブラシを模式的に示す正面図。
【図２】本実施形態に係る歯ブラシを模式的に示す側面図。
【図３】本実施形態に係る歯ブラシを模式的に示す正面図。
【図４】本実施形態に係る歯ブラシを模式的に示す側面図。
【図５】本実施形態に係る歯ブラシを模式的に示す正面図。
【図６】本実施形態に係る歯ブラシを模式的に示す側面図。
【図７】本実施形態に係る歯ブラシを模式的に示す正面図。
【図８】本実施形態に係る歯ブラシを模式的に示す側面図。
【図９】本実施形態に係る歯ブラシを軸Ａ方向から見た図。
【図１０】本実施形態に係る歯ブラシを模式的に示す正面図。
【図１１】本実施形態に係る歯ブラシを模式的に示す側面図。
【図１２】本実施形態に係る歯ブラシを、軸Ａ方向から見た図。
【図１３】本実施形態に係る歯ブラシを模式的に示す断面図。
【発明を実施するための形態】
【００１９】
以下、本発明の好適な実施形態について、図面を参照しながら説明する。
【００２０】
図１は、本実施形態に係る歯ブラシ１００の第１状態を模式的に示す正面図である。図２は、本実施形態に係る歯ブラシ１００の第１状態を模式的に示す側面図である。図３は、本実施形態に係る歯ブラシ１００の第２状態を模式的に示す正面図である。図４は、本実施形態に係る歯ブラシ１００の第２状態を模式的に示す側面図である。図５は、本実施形態に係る歯ブラシ１００の把持部１０から、ヘッド部５０を取り外した状態を模式的に示す正面図である。図６は、本実施形態に係る歯ブラシ１００の把持部１０から、ヘッド部５０を取り外した状態を模式的に示す側面図である。
【００２１】
歯ブラシ１００は、図１〜図６に示すように、使用者が把持する把持部１０と、把持部１０に着脱可能であり、ブラシ部６０が設けられたヘッド部５０と、を有する。
【００２２】
把持部１０の形状は、使用者が把持することができれば特に限定されないが、図示の例では、Ｙ軸方向に延在する形状である。把持部１０は、軸Ａを備えることができる。軸Ａは、把持部１０を通る任意の軸であるが、例えば図１に示すように、把持部１０の長手方向（Ｙ軸方向）に沿う軸であってもよい。
【００２３】
図示の例では、把持部１０は、略直方体の形状を有し、第１面１２と第２面１４とを有している。第１面１２の幅（Ｘ軸方向の幅）は、例えば、第２面１４の幅（Ｚ軸方向の幅）より大きい。第１面１２には、例えば、使用者が把持したときに滑り止めとなる突起状の滑り止め部１３が形成されている。
【００２４】
把持部１０およびヘッド部５０の材質としては、特に限定されないが、例えば、アクリルロニトリル−ブタジエン−スチレン樹脂（ＡＢＳ樹脂）、ポリプロピレン樹脂（ＰＰ樹脂）が挙げられる。
【００２５】
ヘッド部５０は、図１〜図４に示すように、把持部１０に装着された状態で、軸Ａを中心として、把持部１０に対し少なくとも第１角度から第２角度の範囲で回転可能である。図１および図２は、ヘッド部５０が、把持部１０に対して第１角度をなして、把持部１０に装着された第１状態を示している。図３および図４は、ヘッド部５０が、把持部１０に対して第２角度をなして、把持部１０に装着された第２状態を示している。
【００２６】
第１角度は、特に限定されず任意の角度である。図１および図２に示す例では、第１角度は、ヘッド部５０の面５２（ブラシ部６０が設けられた面）が、把持部１０の第１面１２と連続するような角度である。
【００２７】
第２角度は、第１角度と異なる角度であれば、いかなる角度でもよい。図３および図４に示す例では、第２角度は、ヘッド部５０の面５２が、把持部１０の第１面１２と９０度をなすような角度である。すなわち、図３および図４に示す第２状態は、図１および図２に示す第１状態に対して、ヘッド部５０が９０度回転した状態（図１のＲ方向に９０度回転した状態）である。
【００２８】
ヘッド部５０は、図１および図２に示す第１状態で、軸Ａ方向において、把持部１０に固定されている。すなわち、第１状態では、ヘッド部５０は、把持部１０から分離されない。一方、ヘッド部５０は、図３および図４に示す第２状態で、把持部１０から、軸Ａ方向に取り外し可能である（図５および図６参照）。
【００２９】
使用者は、第１状態（図１および図２参照）で歯磨きを行うことができる。そして、ヘッド部５０を分離する場合、使用者は、ヘッド部５０を把持部１０に対して第２角度となるように回転させて第２状態とし（図３および図４参照）、ヘッド部５０を軸Ａ方向に引き抜くことによって、ヘッド部５０を把持部１０から分離することができる（図５および図６参照）。逆に、ヘッド部５０を把持部１０に装着する場合、使用者は、支軸部３０をヘッド部５０の支軸部挿入部８０に挿入して第２状態とし、ヘッド部５０を把持部１０に対して第１角度となるように回転させて第１状態とすることができる。
【００３０】
なお、図示の例では、把持部１０は、第１面１２および第２面１４を備えた略直方体の形状を有しているが、例えば、略円柱状の形状を有していてもよい。この場合、第１状態における第１角度は、ヘッド部５０が軸Ａ方向において、把持部１０に固定されるような角度であれば、いかなる角度でもよい。第２状態における第２角度は、第１角度と異なる角度であって、ヘッド部５０が軸Ａ方向に取り外し可能であれば、いかなる角度でもよい。
【００３１】
次に、把持部１０の端部１６（ヘッド部５０が装着される側の端部）近傍の構造について、説明する。図７は、図１に示す歯ブラシ１００の把持部１０の端部１６近傍を模式的に示す正面図である。図８は、図２に示す歯ブラシ１００の把持部１０の端部１６近傍を模式的に示す側面図である。図９は、図１に示す歯ブラシ１００の把持部１０を軸Ａ方向から見た（Ｙ軸の矢印方向とは反対の方向から見た）図である。なお、図７〜図９では、便宜上、ヘッド部５０の図示を省略している。
【００３２】
把持部１０は、図７〜図９に示すように、端部１６に形成された凸部２０を有することができる。凸部２０は、くびれ部２２と、くびれ部２２よりも凸部２０の先端側に位置する幅広部２４と、を有することができる。
【００３３】
くびれ部２２の幅Ｗ１（Ｘ軸方向の幅）は、図７および図９に示すように、幅広部２４の幅Ｗ２（Ｘ軸方向の幅）に比べて小さい。くびれ部２０の幅Ｗ３（Ｚ軸方向の幅）は、例えば、図８および図９に示すように、幅広部２４の幅Ｗ４（Ｚ軸方向の幅）と同じである。くびれ部２０は、図１に示すように第１状態において、ヘッド部５０の突起部７６（第３部分７６）に係合されることができる。
【００３４】
くびれ部２２は、Ｘ軸方向に突出した突出部２３を有することができる。図７および図９に示すように、突出部２３によって、くびれ部１６は、Ｘ軸方向の幅が幅広部２４の幅Ｗ２と同じとなる部分を有していてもよい。突出部２３は、第１状態において、ヘッド部５０の第３部分７６に形成された溝部７７（図１２参照）と係合することができる。
【００３５】
幅広部２４は、図９に示すようにＹ軸方向から見て（軸Ａ方向から見て）、例えば、長手方向と短手方向とを有する形状である。図示の例では、長手方向はＸ軸方向であり、短手方向はＺ軸方向である。すなわち、幅広部２４は、Ｘ軸方向の幅Ｗ２が、Ｚ軸方向の幅Ｗ４よりも大きい形状を有する。
【００３６】
幅広部２４は、図９に示すように、対角線上において互いに対向する２つの角部２５と、対角線上において互いに対向する２つの面取り部２６と、を有することができる。図示の例では、面取り部２６は、円弧の形状を有している。これにより、ヘッド部５０は、把持部１０に対して、一方向に回転しやすく反対方向には回転し難い。すなわち、図１に示すように第１状態において、例えば、ヘッド部５０をＲ方向に９０度回転させる場合、ヘッド部５０は、面取り部２６に沿って滑らかに回転することができる。一方、第１状態において、例えば、ヘッド部５０をＲ方向とは反対方向に回転させる場合、ヘッド部５０は、角部２５によって抵抗を受け、ヘッド部５０を、Ｒ方向とは反対方向に９０度回転させることは困難となる。
【００３７】
なお、ヘッド部５０に、角部２５によって受ける抵抗力よりも大きな力を加えることにより、ヘッド部５０をＲ方向とは反対方向に回転させることが可能であってもよい。このような場合、ヘッド部５０は、把持部１０に対して第１角度から第２角度の範囲を超えて回転可能であってもよい。
【００３８】
把持部１０には、凸部２０の先端から、軸Ａ方向に突出延在された支軸部３０が形成されている。支軸部３０は、導電性を有する。支軸部３０の形状は、特に限定されてないが、図示の例では、円柱状である。支軸部３０は、ヘッド部５０に設けられたブラシ部６０近傍まで延在している。
【００３９】
次に、ヘッド部５０の端部５６（ブラシ部６０とは反対側の端部）近傍の構造について、説明する。図１０は、図１に示す歯ブラシ１００のヘッド部５０の端部５６近傍を模式的に示す正面図である。図１１は、図２に示す歯ブラシ１００のヘッド部５０の端部５６近傍を模式的に示す側面図である。図１２は、図１に示す歯ブラシ１００のヘッド部５０を軸Ａ方向から見た（Ｙ軸の矢印方向から見た）図である。なお、図１０〜図１２では、便宜上、把持部１０および支軸部３０の図示を省略している。
【００４０】
ヘッド部５０の端部５６は、図１０に示すように、二股形状を有することができる。二股形状は、ヘッド部５０の２つの足部７０によって構成されている。足部７０は、第１部分７２、第２部分７４、および第３部分７６を有することができる。
【００４１】
第１部分７２は、二股形状を構成する足部７０の根元の部分である。２つの第１部分７２は、例えば、第１間隔Ｄ１を隔てて設けられている。第１部分７２によって、足部７０は、Ｘ軸方向に弾性力を有することができる。これにより、第１状態において、第３部分７６は、くびれ部２２に係合することができる。第１間隔Ｄ１の大きさは、足部７０が弾性力を有することができれば、特に限定されない。
【００４２】
第２部分７４は、第１部分７２よりも足部７０の先端側に、第１部分７２と連続して設けられている。２つの第２部分７４は、例えば、第２間隔Ｄ２を隔てて設けられている。第２間隔Ｄ２は、第１間隔Ｄ１よりも大きい。図示の例では、第２間隔Ｄ２は、幅広部２４の幅Ｗ２と同じ大きさである。第２部分７４は、幅広部２４を相補する形状を有していてもよい。
【００４３】
第３部分７６は、図１０に示すように、第２部分７４よりも足部７０の先端側に、第２部分７４と連続して設けられている。第３部分７６は、第２部分７４よりもＸ軸方向に突起した形状である。したがって、第３部分７６は、突起部７６ということもできる。２つの第３部分７６は、例えば、第３間隔Ｄ３を隔てて設けられている。第３間隔Ｄ３は、第１間隔Ｄ１よりも大きく、第２間隔Ｄ２よりも小さい。
【００４４】
図示の例では、第３間隔Ｄ３は、第１状態において、くびれ部２２の幅Ｗ１と同じであり、幅広部２４の幅Ｗ２よりも小さい。これにより、第３部分７６は、くびれ部２２に係合し、軸Ａ方向に固定されることができる。さらに、第３間隔Ｄ３は、第２状態において、くびれ部２２の幅Ｗ３および幅広部２４の幅Ｗ４と同じである。これにより、ヘッド部５０は、軸Ａ方向の力が加えられると、第３部分７６が凸部２０に接触しながら軸Ａ方向に滑らか移動し、把持部１０から容易に分離することができる。
【００４５】
第３部分７６には、図１２に示すように、溝部７７が形成されている。溝部７７は、くびれ部２２の突出部２３と相補する形状である。そのため、溝部７７は、第１状態において、突出部２３に係合されることができる。これにより、使用者が第１状態で歯磨きをしている場合に、ヘッド部５０が不必要に回転することを抑制することができる。なお、図１２に示すように、２つの溝部７７のうちの一方は、円弧状の形状を有していてもよい。これにより、ヘッド部５０を把持部１０に対して、一方向に回転しやすくすることができる。
【００４６】
ヘッド部５０には、支軸部３０が挿入される支軸挿入部８０が形成されている。支軸挿入部８０は、図１２に示すように、例えば、ヘッド部５０の中心部に形成されている。支軸挿入部８０の形状は、支軸部３０を挿入できれば特に限定されないが、図示の例では、筒状である。支軸挿入部８０は、図５および図６に示すように、ブラシ部６０近傍まで形成されている。
【００４７】
歯ブラシ１００が上記のような形状を有することにより、ヘッド部５０は、第１状態で、軸Ａ方向において把持部１０に固定され、第２状態で、把持部１０から軸Ａ方向に取り外し可能となる。
【００４８】
次に、歯ブラシ１００の、いわゆるイオン歯ブラシとしての機構等について、説明する。図１３は、本実施形態に係る歯ブラシ１００を模式的に示す図１のＸＩＩＩ−ＸＩＩＩ線断面図である。
【００４９】
把持部１０には、図１３に示すように、電池４０が収容される電池収容部４１が形成されている。電池４０は、例えば、円盤状のリチウム電池である。図示の例では、電池収容部４１底部には、開口部４２が形成されており、開口部４２には支軸部３０が配置されている。電池４０の一方の電極（例えば負極）は、支持部３０に接触している。電池４０の他方の電極（例えば正極）は、導電性のばね部４３に接触しており、ばね部４３は、収容部４０を覆う導電性の導電板４４と接触している。ばね部４３によって、支軸部３０と電池４０とは、密接に接触されることができる。導電板４４は、図１３に示すように、把持部１０を取り囲むように形成されていてもよい。導電板４４の材質としては、例えば、チタン、ステンレスが挙げられる。
【００５０】
把持部１０の電池収容部４１の周囲には、溝部４５が形成されている。溝部４５には、Ｏリング４６が配置されている。これにより、電池４０を外部に対して水密にシールすることができる。
【００５１】
ヘッド部５０には、図１および図６に示すように、支軸挿入部８０と連通した開口部８２が形成されている。開口部８２によって、支軸部３０は、露出されている。開口部８２は、ヘッド部６０に隣接して（またはヘッド部６０の近傍に）形成されている。
【００５２】
開口部８２によって、ブラシ部６０と支軸部３０とは、電気的に導通可能となることができる。すなわち、使用者が、導電板４４に手を触れながら把持部１０を把持し、ブラシ部６０によって歯をブラッシングすると、ブラシ部６０が唾液等の液体によって濡れ、開口部８２を含む液体の連なった経路を介して支軸部３０が電気的に導通可能な状態となる。これにより、電流は、電池４０から使用者の手、体、歯、ブラシ部６０、開口部８２を含む液路、支軸部３０、電池４０という経路で流れることができる。そのため、歯ブラシ１００は、電位傾斜によってブラッシング時の歯垢除去効果、ブラッシング効果を高めることができる。
【００５３】
なお、本実施形態に係る歯ブラシ１００は、ヘッド部５０を把持部１０から分離することができれば、イオン歯ブラシでなくてもよい。例えば、歯ブラシ１００をイオン歯ブラシでない分離型の歯ブラシに適用する場合は、支軸部３０、電池収容部４１、支軸部挿入部８０、および開口部８２等を形成せずに適用すればよい。
【００５４】
本実施形態に係る歯ブラシ１００は、例えば、以下の特徴を有する。
【００５５】
歯ブラシ１００によれば、ヘッド部５０は、第１角度をなして把持部１０に装着された第１状態で、軸Ａ方向において、把持部１０に固定され、第２角度をなして把持部１０に装着された第２状態で、把持部１０から、軸Ａ方向に取り外し可能である。すなわち、歯ブラシ１００は、使用者が歯磨きを行う使用状態の第１状態から、ヘッド部５０を把持部１０に対して回転させて第２状態として、把持部１０からヘッド部５０を分離させることができる。そのため、例えば、使用状態のまま把持部の軸方向に力を加えてヘッド部を分離する形態に比べて、簡易にヘッド部５０を分離することができる。使用者は、例えば一般的に、ヘッド部に対して、把持部の軸方向より軸の回転方向に力を加えやすい。
【００５６】
さらに、ヘッド部５０を把持部１０から分離する場合には、使用状態である第１状態から第２状態にする必要があるため、仮に歯磨き剤が把持部１０およびヘッド部５０の間に進入して把持部１０およびヘッド部５０の接合部分（凸部２０や足部７０）が磨耗したとしても、使用状態である第１状態において、直接ヘッド部５０が把持部１０から分離する可能性を小さくすることができる。
【００５７】
したがって、歯ブラシ１００は、ヘッド部５０を把持部１０に容易に着脱することができ、高い信頼性を有することができる。
【００５８】
歯ブラシ１００によれば、足部７０を構成する第３部分７６の第３間隔Ｄ３は、第１状態において、くびれ部２２の幅Ｗ１と同じであり、幅広部２４の幅Ｗ２よりも小さい。これにより、第３部分７６は、くびれ部２２に係合し、軸Ａ方向に固定されることができる。さらに、第３間隔Ｄ３は、第２状態において、くびれ部２２の幅Ｗ３および幅広部２４の幅Ｗ４と同じである。これにより、ヘッド部５０は、軸Ａ方向の力が加えられると、第３部分７６が凸部２０に接触しながら滑らかに軸Ａ方向に移動し、把持部１０から容易に分離することができる。
【００５９】
歯ブラシ１００によれば、凸部２０は、軸Ａ方向から見て、対角線上において互いに対向する２つの角部２５と、対角線上において互いに対向する２つの面取り部２６と、を有することができる。これにより、ヘッド部５０は、一方向に回転しやすく、反対方向には回転し難い。すなわち、第１状態において、例えば図１に示すように、ヘッド部５０をＲ方向に９０度回転させる場合、ヘッド部５０は、面取り部２６に沿って滑らかに回転することができる。一方、第１状態において、例えば、ヘッド部５０をＲ方向とは反対方向に回転させる場合、ヘッド部５０は、角部２５によって抵抗を受け、ヘッド部５０を、Ｒ方向とは反対方向に９０度回転させることは困難となる。仮にヘッド部が両方向（時計回りおよび反時計回り）に容易に回転可能だとすると、歯磨きを行っている最中に（すなわち第１状態で）、ヘッド部が把持部に対してグラつきやすくなる可能性がある。
【００６０】
本発明は、上述した実施形態に限定されるものではなく、種々の変形が可能である。本発明は、上述した各実施形態および各変形例を適宜組み合わせることも可能である。また、本発明は、例えば、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００６１】
１０  把持部、１２  第１面、１３  滑り止め部、１４  第２面、１６  端部、
２０  凸部、２２  くびれ部、２３  突出部、２４  幅広部、２５  角部、
２６  面取り部、３０  支軸部、４０  電池、４１  電池収容部、４２  開口部、
４３  ばね部、４４  導電板、４５  溝部、４６  Ｏリング、５０  把持部、
５２  把持部の面、５６  端部、６０  ブラシ部、７０  足部、７２  第１部分、
７４  第２部分、７６  第３部分、８０  支軸挿入部、８２  開口部、１００  歯ブラシ
【図１】
0005416741.tif 000002
【図２】
0005416741.tif 000003
【図３】
0005416741.tif 000004
【図４】
0005416741.tif 000005
【図５】
0005416741.tif 000006
【図６】
0005416741.tif 000007
【図７】
0005416741.tif 000008
【図８】
0005416741.tif 000009
【図９】
0005416741.tif 000010
【図１０】
0005416741.tif 000011
【図１１】
0005416741.tif 000012
【図１２】
0005416741.tif 000013
【図１３】
0005416741.tif 000014